(57)【要約】      （修正有）【課題】飲料水容器から冷水タンクと温水タンクとに供給された飲料水を常温使用しても衛生面での心配がないウォーターサーバーを提供する。【解決手段】このウォーターサーバーは、飲料水容器からサーバー本体内の冷水タンクと温水タンクとに空気の混入を禁止した状態で飲料水を供給するものであって、前記冷却タンクを冷却する冷却モードと、前記冷却タンクを非冷却とする非冷却モードとのいずれか一方を選択するための冷水スイッチ２０２と、前記温水タンクを加熱する加熱モードと、前記温水タンクを非加熱とする非加熱モードとのいずれか一方を選択するための温水スイッチ２０４とを備えている。【選択図】図３
2013224163.tif 000002
【特許請求の範囲】
【請求項１】
飲料水容器からサーバー本体内の少なくとも冷水タンクに空気の混入を禁止した状態で飲料水を供給するウォーターサーバーであって、
前記冷却タンクを冷却する冷却モードと、前記冷却タンクを非冷却とする非冷却モードとを有するとともに、
前記冷却モードと前記非冷却モードとのいずれか一方を選択するための第１の選択スイッチを備えたことを特徴とするウォーターサーバー。
【請求項２】
さらに、前記サーバー本体内に温水タンクを備えたときには、
前記温水タンクを加熱する加熱モードと、該温水タンクを非加熱とする非加熱モードとを有するとともに、
前記加熱モードと前記非加熱モードとのいずれか一方を選択するための第２の選択スイッチを備えたことを特徴とする請求項１記載のウォーターサーバー。
【請求項３】
各選択スイッチを別個に備えたことを特徴とする請求項２記載のウォーターサーバー。
【請求項４】
各選択スイッチで選択されたモードを示す表示ランプを、該各選択スイッチ付近にそれぞれ設けたことを特徴とする請求項３記載のウォーターサーバー。
【発明の詳細な説明】
【技術分野】
【０００１】
本発明は、飲料水容器に充填された飲料水を冷水または温水として提供するウォーターサーバーに関するものである。
【背景技術】
【０００２】
通常、ウォーターサーバーは飲料水容器に充填された飲料水を冷水または温水として提供するものであるが、例えば薬を飲むときに、常温水を使用したいことがある。
【０００３】
そこで、例えば特許文献１では、カートリッジ式の貯水タンクを下部空間に収納可能なサーバー本体と、貯水タンク内に挿入可能な吸水パイプと、吸水パイプを吸入口に接続した給水ポンプと、給水ポンプの吐出口に切替え弁を介して夫々接続された開閉手段付きの冷水流出管、温水流出管及び常温水流出管と、各開閉手段の操作に基づいて切替え弁を切替え、且つ給水ポンプを作動させる給水制御手段と、給水ポンプから冷水流出管に送られる水を冷却する冷却手段と、給水ポンプから温水流出管に送られる水を加熱する加温手段とを具備したウォーターサーバーが開示されている。
【０００４】
また、特許文献２では、飲料水容器に充填された飲料水を冷水または温水として提供する飲料水ディスペンサに併設され、飲料用の粉末原料と前記飲料水ディスペンサから提供される飲料水とをカップに吐出して飲料を供給する飲料供給装置であって、前記飲料水ディスペンサから提供される飲料水を冷水または温水の何れかに選択するために操作される飲料水選択手段と、・・・前記飲料選択手段が操作されたときに、当該操作によって選択された粉末原料を前記粉末原料供給装置から前記カップセット部にセットされたカップに吐出して供給し、前記カップに供給された粉末原料を当該カップ内で溶かすように前記飲料水吐出ノズルから吐出させる飲料水を前記飲料水ディスペンサから提供させる制御手段と、を備えた飲料供給装置が開示されている。前記飲料供給装置には、前記飲料水容器に充填されている飲料水を提供するための常温水選択手段をさらに備え、前記制御手段は、当該常温水選択手段が押圧されている間、前記飲料水ディスペンサに設けている常温水弁を開放して前記飲料水吐出ノズルから吐出させることも開示されている。
【発明の概要】
【発明が解決しようとする課題】
【０００５】
ところで、ウォーターサーバーの電源を投入していない状態では、飲料水容器、冷水タンク、温水タンクのいずれもが常温となっているが、いずれのメーカーも、かかる常温でのウォーターサーバーの使用を推奨していない。その理由は、冷水機能は制菌作用、熱水は殺菌作用があり、冷水・温水機能が働いていることで飲料水の衛生状態を保つことができるが、この冷水・温水機能を切ると、給水口から雑菌が入り込む危険性があるためである。上記特許文献１，２では、いずれも飲料水容器からの常温の飲料水が直接供給されることを前提としており、飲料水容器から冷水タンクと温水タンクとに供給された飲料水については、かかる衛生面での問題を解決できていないものと推察される。
【０００６】
本発明は、上記事情に鑑みてなされたもので、飲料水容器から冷水タンクと温水タンクとに供給された飲料水を常温使用しても衛生面での心配がないウォーターサーバーを提供することを目的とするものである。
【課題を解決するための手段】
【０００７】
本発明は、飲料水容器からサーバー本体内の少なくとも冷水タンクに空気の混入を禁止した状態で飲料水を供給するウォーターサーバーであって、前記冷却タンクを冷却する冷却モードと、前記冷却タンクを非冷却とする非冷却モードとを有するとともに、前記冷却モードと前記非冷却モードとのいずれか一方を選択するための第１の選択スイッチを備えたことを特徴とするものである。
【０００８】
本発明によれば、飲料水容器からサーバー本体内の少なくとも冷水タンクに空気の混入を禁止した状態で飲料水を供給することを条件として、前記冷却タンクを冷却する冷却モードと、前記冷却タンクを非冷却とする非冷却モードとを有するとともに、前記冷却モードと前記非冷却モードとのいずれか一方を選択するための第１の選択スイッチを備えたので、そのエアレス構造によって細菌の繁殖を抑制することができる。したがって、たとえ飲料水容器から冷水タンクに供給された飲料水を常温使用しても衛生面での心配がなくなる。
【０００９】
ところで、温水タンクは加熱するので、個別に殺菌できるが、常温のままでの使用はやはり衛生面での問題がある。そこで、さらに前記サーバー本体内に温水タンクを備えたときには、前記温水タンクを加熱する加熱モードと、前記温水タンクを非加熱とする非加熱モードとを有するとともに、前記加熱モードと前記非加熱モードとのいずれか一方を選択するための第２の選択スイッチを備えることが好ましい。
【００１０】
この場合、さらに前記サーバー本体内に温水タンクを備えたときには、前記温水タンクを加熱する加熱モードと、前記温水タンクを非加熱とする非加熱モードとを有するとともに、前記加熱モードと前記非加熱モードとのいずれか一方を選択するための第２の選択スイッチを備えたので、ここでも、そのエアレス構造によって細菌の繁殖を抑制することができる。したがって、たとえ飲料水容器から温水タンクに供給された飲料水を常温使用しても衛生面での心配がなくなる。
【００１１】
また、各選択スイッチを別個に備えることが好ましい。
【００１２】
この場合、各選択スイッチを別個に備えたので、使用者の好みに応じて冷水タンクと温水タンクとのいずれでも常温使用できるようになる。
【００１３】
また、各選択スイッチで選択されたモードを示す表示ランプを、該各選択スイッチ付近にそれぞれ設けることが好ましい。
【００１４】
この場合、各選択スイッチで選択されたモードを示す表示ランプを、該各選択スイッチ付近にそれぞれ設けたので、使用者はいずれのタンクが常温使用可能であるかを認識できるようになり便利である。
【発明の効果】
【００１５】
本発明によれば、飲料水容器からサーバー本体内の少なくとも冷水タンクに空気の混入を禁止した状態で飲料水を供給することを条件として、前記冷却タンクを冷却する冷却モードと、前記冷却タンクを非冷却とする非冷却モードとを有するとともに、前記冷却モードと前記非冷却モードとのいずれか一方を選択するための第１の選択スイッチを備えたので、そのエアレス構造によって細菌の繁殖を抑制することができる。したがって、たとえ飲料水容器から冷水タンクに供給された飲料水を常温使用しても衛生面での心配がなくなる。
【図面の簡単な説明】
【００１６】
【図１】本発明の一実施形態に係るウォーターサーバーの全体構成を模式的に示す側断面図である。
【図２】本ウォーターサーバーのサーバー本体の上部付近を示す正面図である。
【図３】本ウォーターサーバーの制御系を示すブロック図である。
【図４】本ウォーターサーバーの動作例を示すフローチャートである。
【図５】本ウォーターサーバーのエアレス構造を示す説明図である。
【発明を実施するための形態】
【００１７】
図１は本発明の一実施形態に係るウォーターサーバー１の全体構成を模式的に示す側断面図、図２は本ウォーターサーバー１のサーバー本体３の上部付近を示す正面図である。なお、同図１中の左側が正面、右側が背面をそれぞれ示している。また、ウォーターサーバー１の材料としては、主に合成樹脂、ゴム、金属などが適所に使用されている。
【００１８】
図１に示すように、このウォーターサーバー１は、ボトルホルダ２とサーバー本体３とからなっている。ボトルホルダ２は、飲料水Ｗの入った異形容器（飲料水容器に相当する。）４を内部にセットし、或いは、このセットした異形容器４を外部に取り出すために、サーバー本体３上で開閉自在に取り付けられている（図１中の符号２は閉状態、符号２’は開状態をそれぞれ示している）。また、サーバー本体３の内部には、飲料水Ｗを冷却する冷水タンク５と、飲料水Ｗを温める温水タンク６とが上下に配置されている。
【００１９】
異形容器４は、例えばＰＥＴ（ポリエチレンテレフタレート）樹脂製などの可撓性に富む比較的薄い材料からなり、その内部に充填された飲料水Ｗの減少につれて縮小変形可能なものである。そして、飲料水Ｗが充填された初期状態では断面六角形状をなしている。異形容器４を支持部７で支持するために、この支持部７には貫通孔７１が形成されている。
【００２０】
この異形容器４は、ウォーターサーバー１のボトルホルダ２内に装着した状態で、上側半分となる本体上部４１と、下側半分となる本体下部４２とを備えている。本体上部４１は、頂部がフラットになっており、飲料水Ｗを入れての搬送中では上下逆向きとなっているから、この頂部でもって自立できるようになっている。また、本体上部４１の側面には上下方向に伸縮自在な蛇腹が形成されている。本体下部４２の底部には飲料水Ｗの取出口４３が形成されている。
【００２１】
冷水タンク５には、飲料水Ｗを冷却するための冷凍機等の冷却手段５０が備わっており、異形容器４から供給された飲料水Ｗは、この冷却手段５０で冷却されることにより、冷水タンク５内で４〜１０℃程度の温度に維持されるようになっている。
【００２２】
温水タンク６には、飲料水Ｗを加熱するためのバンドヒータやシーズヒータ等の加熱手段６０が備わっており、異形容器４から供給された飲料水Ｗは、この加熱手段６０で加熱されることにより、温水タンク６内で８０〜９０℃程度の温度に維持されるようになっている。
【００２３】
支持部７で支持された異形容器４は、その底部の取出口４３を貫通孔７１内でコネクタ９に係合させ、このコネクタ９にさらに接続された給水ライン１０を介して、異形容器４から取り出された飲料水Ｗが冷水タンク５に供給されるようになっている。また、冷水タンク５に供給された飲料水Ｗの一部が連通管１０２を介して、温水タンク６にも供給されるようになっている。
【００２４】
すなわち、図１に示すように、冷水タンク５の頂部付近に凸部１０１を設けるとともに、この凸部１０１内と温水タンク６内とを先下がりで連通する連通管１０２を備えている。具体的には、略円筒状の凸部１０１を冷水タンク５の頂部から若干突出させるとともに、連通管１０２の上端を凸部１０１内に挿入して開口させることにより、いわゆる二重管状構造としている。そして、給水ライン１０を、この凸部１０１から離間した部位に接続することで、給水ライン１０から供給される飲料水Ｗが、連通管１０２から直接流出しないようになっており、これにより、冷水タンク５内の空気Ａを温水タンク６内に流出しやすいようにもなっている。
【００２５】
また、冷水タンク５内の飲料水Ｗを該冷水タンク５の底部付近から先下がりで排出する排液管５１を設けるとともに、温水タンク６内の飲料水Ｗを該温水タンク６の頂部付近から排出する排出管６３を設けている。
【００２６】
また、冷水タンク５で冷された飲料水Ｗと、温水タンク６で温められた飲料水Ｗとは、それぞれの給水口１１，１２を開閉することにより、図示しないコップ等に所定量だけ注がれるようになっている。
【００２７】
図３は本ウォーターサーバー１の制御系を示すブロック図である。
【００２８】
本ウォーターサーバーの制御系は、図３に示すように、冷水ランプ（第１の選択スイッチに対応する表示ランプに相当する。）２０１と、冷水スイッチ（第１の選択スイッチに相当する。）２０２と、温水ランプ（第２の選択スイッチに対応する表示ランプに相当する。）２０３と、温水スイッチ（第２の選択スイッチに相当する。）２０４と、冷水調節器２０５と、温水調節器２０６と、冷却手段５０の駆動回路２０７と、冷水センサ２０８と、加熱手段６０の通電回路２０９と、温水センサ２１０とを備えている。
【００２９】
ここで、冷水スイッチ２０２は、冷水タンクを冷却する冷却モードと、冷水タンク５を非冷却とする非冷却モードとのいずれか一方を選択するものであり、冷水ランプ２０１はその選択されたモードを表示するものである。また、温水スイッチ２０４は、温水タンク６を加熱する加熱モードと、温水タンク６を非加熱とする非加熱モードとのいずれか一方を選択するものであり、温水ランプ２０３はその選択されたモードを表示するものである。
【００３０】
そして、ウォーターサーバー１のサーバー本体３正面上部には、操作盤２００が配置されており、使用者は、この操作盤２００に配置された冷水スイッチ２０２と温水スイッチ２０４とを操作する際に、これらのスイッチ近くに配置された冷水ランプ２０１と温水ランプ２０３とを視認できるようになっている。
【００３１】
図４は本ウォーターサーバー１の動作例を示すフローチャート、図５は本ウォーターサーバーのエア抜き構造を示す説明図である。まず、図１において、ウォーターサーバー１のボトルホルダ２を開いて、ボトルホルダ２’のようにした状態で、支持部７上に異形容器４を、その搬送中とは上下逆向きにして支持することにより、その異形容器４を所定位置にセットする。このときの異形容器４は、ほぼ断面六角形状となっており、その本体上部４１の蛇腹は充填された飲料水Ｗの水圧（負圧）を受けて伸びきった状態となっている。
【００３２】
ついで、異形容器４から冷水タンク５内へ飲料水Ｗを供給するために、支持部７で支持された異形容器４の底面の取出口４３をコネクタ９に係合させる。
【００３３】
すると、異形容器４の本体上部４１の蛇腹が縮小する向きに働く張力と、該異形容器４内に充填された飲料水Ｗ自身の重量とが同時に作用することによって、異形容器４内の飲料水Ｗが、コネクタ９及び給水ライン１０を通って、冷水タンク５に供給される。しかる後に、ウォーターサーバー１のボトルホルダ２’を閉めて、ボトルホルダ２のようにした状態とする。ただし、ボトルホルダ２は必ずしも開閉可能とする必要はなく、例えばサーバー本体３上に載置しただけでもよい。
【００３４】
ところで、初期状態においては、冷水タンク５の給水口１１と、温水タンク６の給水口１２がともに閉じられている。そうすると、異形容器４から冷水タンク５及び温水タンク６内に飲料水Ｗを供給しようとしても、冷水タンク５内と温水タンク６内とにそれぞれ大量の空気Ａが入っているために、両タンク５，６内に飲料水が供給されにくい。
【００３５】
そこで、図５において、温水タンク６の給水口１２だけを開くと、冷水タンク５内の空気Ａが凸部１０１に集められ、そこから連通管１０２を通って、温水タンク６内へと流出される。温水タンク６内に流出した空気Ａは排出管６３を介して給水口１２から外部に排出される。このため、給水ライン１０から冷水タンク５内に飲料水Ｗが供給されるようになる。
【００３６】
すると、異形容器４は縮小変形を開始するわけであるが、ここでは、本体上部４１の蛇腹が内側に折り畳まれていき、まるで頂部が陥没していくようになる。
【００３７】
そして、冷水タンク５内が飲料水Ｗで満たされると、今度は連通管１０２から温水タンク６へ飲料水Ｗが流出する。温水タンク６がこの飲料水Ｗで満たされるまで、給水口１２から空気Ａが出てくるので、それまでは、給水口１２は開いたままとする。温水タンク６が飲料水Ｗで満たされた後のそれぞれのタンク５，６からの使用分は、各タンク５，６に個別に供給されるようになる。
【００３８】
このようにして、冷水タンク５内に飲料水Ｗが供給される際に、この供給される飲料水Ｗで冷水タンク５内の初期空気Ａが連通管１０２を通じて温水タンク６に排出されることにより、冷水タンク５内と温水タンク６内とを速やかにエアレス状態とすることができる。しかる後に、給水口１２を閉じる。
【００３９】
ついで、図４のステップＳ１に入る。電源を投入すると、冷水スイッチ２０２、温水スイッチ２０４等はいずれもデフォルト値にセットされ、冷水スイッチ２０２はそのデフォルト値であるｏｎとなっているから、そのままステップＳ２に進む。ここでは、冷水センサ２０８がｈｉｇｈ（１０℃よりも高い温度）となっているから、駆動回路２０７を介して冷却手段５０の冷凍機をｏｎとするとともに（ステップＳ３）、冷水ランプ２０１をｏｎとする（ステップＳ４）。
【００４０】
ついで、ステップＳ５に入る。ここでも、最初は、温水スイッチ２０４がデフォルト値であるｏｎとなっているから、そのままステップＳ７に進む。ここでは、温水センサ２１０がｌｏｗ（８０℃よりも低い温度）となっているから、通電回路２０９を介して加熱手段６０のヒータをｏｎとするとともに（ステップＳ７）、温水ランプ２０３をｏｎとする（ステップＳ８）。
【００４１】
そして、ステップＳ１に戻り、上記ステップＳ１〜Ｓ８を繰り返すうちに、冷水タンク５で飲料水Ｗが冷やされていくと、やがて冷水センサ２０８がｌｏｗ（４℃よりも低い温度）となるから、駆動回路２０７を介して冷却手段５０の冷凍機をｏｆｆとするとともに（ステップＳ９）、冷水ランプ２０１をｏｆｆとする（ステップＳ１０）。このようにして、冷水タンク５内を４〜１０℃程度の温度に維持することができる。
【００４２】
また、温水タンク６で飲料水Ｗが温められていくと、やがて温水センサ２１０がｈｉｇｈ（９０℃よりも高い温度）となってくるから、通電回路２０９を介して加熱手段６０のヒータをｏｆｆとするとともに（ステップＳ１１）、温水ランプ２０３をｏｆｆとする（ステップＳ１２）。このようにして、温水タンク６内を８０〜９０℃程度の温度に維持することができる。
【００４３】
こうして冷水タンク５で冷された飲料水Ｗと、温水タンク６で温められた飲料水Ｗとは、それぞれの給水口１１，１２を開閉することにより、図示しないコップ等に所定量だけ注がれる。
【００４４】
いま、上記ステップＳ１で使用者が冷水スイッチ２０２をｏｆｆとしたとする。すると、この場合も駆動回路２０７を介して冷却手段５０の冷凍機をｏｆｆとするとともに（ステップＳ９）、冷水ランプ２０１をｏｆｆとする（ステップＳ１０）。しばらくすると、冷水タンク５内を常温に戻すことができる。
【００４５】
また、上記ステップＳ５で使用者が温水スイッチ２０４をｏｆｆとしたとする。すると、この場合も通電回路２０９を介して加熱手段６０のヒータをｏｆｆとするとともに（ステップＳ１１）、温水ランプ２０３をｏｆｆとする（ステップＳ１２）。しばらくすると、温水タンク６内を常温に戻すことができる。
【００４６】
こうして冷水タンク５で常温に戻された飲料水Ｗ、又は、温水タンク６で常温に戻された飲料水Ｗは、それぞれの給水口１１，１２を開閉することにより、図示しないコップ等に所定量だけ注がれる。
【００４７】
異形容器４内の飲料水Ｗを使いきってしまうと、異形容器４の本体上部４１の蛇腹が再び伸びきった状態となって、本体下部４２の内側に密着してしまうから、このときの残液はほとんどなくなる。それを飲料水Ｗが充填された別の異形容器４と交換する必要があるが、このときには、ウォーターサーバー１のボトルホルダ２を再び開いて、ボトルホルダ２’のようにした状態で、異形容器４の取出口４３とコネクタ９との係合を解除する。そして、別の異形容器４を所定位置にセットした後、再度前記ステップＳ１〜Ｓ１２を繰り返すことにより、給水を行うことができるようになる。電源をカットすると、すべての動作は終了する。
【００４８】
以上説明したように、本実施形態によれば、ウォーターサーバー１によれば、異形容器４からサーバー本体３内の冷水タンク５と温水タンク６とに空気Ａの混入を禁止した状態で飲料水Ｗを供給することを条件として、冷却タンク５を冷却する冷却モードと、冷却タンク５を非冷却とする非冷却モードとを有するとともに、前記冷却モードと前記非冷却モードとのいずれか一方を選択するための冷水スイッチ２０２を備え、かつ、温水タンク６を加熱する加熱モードと、温水タンク６を非加熱とする非加熱モードとを有するとともに、前記加熱モードと前記非加熱モードとのいずれか一方を選択するための温水スイッチ２０４を備えたので、そのエアレス構造によって細菌の繁殖を抑制することができる。したがって、たとえ異形容器４から冷水タンク５と温水タンク６とに供給された飲料水Ｗをそれぞれ常温使用しても衛生面での心配がなくなる。いずれのタンクを常温使用するかは、使用者の好みなどによる。
【００４９】
なお、上記実施形態では、飲料水Ｗを使用しているが、これに代えて、ジュース、酒類等のあらゆる液体を使用することができる。
【００５０】
また、上記実施形態では、異形容器４を断面六角形状（截頭四面錐体を上下逆向きにして合体したような形状）であるとしたが、その他の截頭多面面錐体や截頭円錐体を上下逆向きにして合体したような形状であってもよい。また、ＰＥＴ製の異形容器４に代えて、ＰＥＴ製の球形容器を使用してもよいし、さらには、ビニール袋を使用して、それにニードルを横刺しすることにより、飲料水Ｗを取り出すようにしてもよい。
【００５１】
また、上記実施形態では、ウォーターサーバー１のサーバー本体３内には、冷水タンク５と温水タンク６との両方を備えており、それらを連通管１０２で連通させて、エアレス構造としているが、本発明の適用範囲はこれに限定されるものではなく、その他のエアレス構造のウォーターサーバー１に適用することもできるのはもちろんである。
【００５２】
また、上記実施形態では、操作盤２００に冷水スイッチ２０２の真上に冷水ランプ２０１を配置するとともに、温水スイッチ２０４の真上に温水ランプ２０３を配置したが、それらの配置等は任意であって、例えば冷水スイッチ２０２と冷水ランプ２０１とを一体とするとともに、温水スイッチ２０４と温水ランプ２０３とを一体にしてもよい。さらには、冷水スイッチ２０２と温水スイッチ２０４とを１個の切替スイッチにまとめるとともに、冷水ランプ２０１と温水ランプ２０３とをその周辺に配置してもよいし、常温スイッチや常温ランプを設けることとしてもよい。
【００５３】
また、上記実施形態では、飲料水容器としての異形容器４から冷水タンク５と温水タンク６とに給水してそれが完了してから電源を投入しているが、この間数分程度かかることになる。そこで、最初から電源を投入しておき、タイマーでこの数分程度遅れてからステップＳ１に自動的に入るようにしてもよい。
【００５４】
また、上記実施形態では、給水口１２を最初は全開しておき、冷水タンク５と温水タンク６とから空気Ａが完全に抜けてから、その給水口１２を閉めているが、これに代えて、例えば給水口１２の手前に例えばフロート弁等のエア抜き手段を設けて自動的にエア抜きを行うようにしておくとさらに便利となる。
【００５５】
また、上記実施形態では、電源投入によりセットされるデフォルト値として、冷水スイッチ２０２と温水スイッチ２０４とのいずれもがｏｎとなっているので、冷水タンク５と温水タンク６とはそれぞれの設定温度になるように温度調整されてしまう。しかし、一旦温度調整されてから、冷水スイッチ２０２と温水スイッチ２０４のいずれかをｏｆｆとしたのでは、なかなか常温に戻らない。タンク周囲に保冷材や保温材が使用されている場合はなおさらである。そこで、常温使用がある程度見込まれる場合は、電源投入によりセットされるデフォルト値を上記とは逆にして、冷水スイッチ２０２と温水スイッチ２０４との少なくともいずれもかがｏｆｆとされることもある。
【００５６】
また、上記実施形態では、冷却手段５０の冷凍機と加熱手段６０のヒータとの制御方法として、冷水調節器２０５と温水調節器２０６とを用いた簡単なｏｎ／ｏｆｆ制御を採用しているが、コンピュータ搭載により複雑な制御を行うようにしてもよい。
【符号の説明】
【００５７】
１  ウォーターサーバー
２，２’  ボトルホルダ
３  サーバー本体
４  異形容器（飲料水容器に相当する。）
４１  本体上部
４２  本体下部
４３  取出口
５  冷水タンク
５１  排液管
６  温水タンク
６３  排出管
７  支持部
７１  貫通孔
９  コネクタ
１０  給水ライン
１０１  凸部
１０２  連通管
１１，１２  給水口
２００  操作盤
２０１  冷水スイッチ（第１の選択スイッチに相当する。）
２０２  冷水ランプ（第１の選択スイッチに対応する表示ランプに相当する。）
２０３  温水スイッチ（第２の選択スイッチに相当する。）
２０４  温水ランプ（第２の選択スイッチに対応する表示ランプに相当する。）
２０５  冷水調節器
２０６  温水調節器
２０７  駆動回路
２０８  冷水センサ
２０９  通電回路
２１０  温水センサ
Ａ  空気
Ｗ  飲料水
【先行技術文献】
【特許文献】
【００５８】
【特許文献１】実開平４−８５０９１号公報
【特許文献２】特開２００９−２５１７７２号公報
【図１】
2013224163.tif 000003
【図２】
2013224163.tif 000004
【図３】
2013224163.tif 000005
【図４】
2013224163.tif 000006
【図５】
2013224163.tif 000007